(57)【要約】  【課題】  人為的な行為や、所持体（カード類）を別途持参する必要がなく、複数の顧客用テーブルが設置されたナイト店舗にて、同一の予約登録楽曲がある場合に、それぞれの楽曲が何れのテーブルから選曲されたかを自動的かつ効果的に報知できるシステムの提供を課題とする。  【解決手段】  リモコン装置が顧客用テーブルのテーブルＩＤを検知し、任意の楽曲を当該リモコン装置にてカラオケ装置に予約登録する際、その楽曲ＩＤとともに検知したテーブルＩＤを含めて予約待ち行列に登録し、登録されている楽曲のうち、同一である楽曲ＩＤの楽曲があるか否かを判定することにより、同一楽曲の楽曲ＩＤがある場合には、各々の楽曲が演奏される直前の楽曲の後奏中ないし曲間中あるいは当該楽曲の前奏中に、登録された楽曲ＩＤに紐付けられているテーブルＩＤを所定の表示部に表示して報知する。【選択図】図１
2010156858.tif 000002
【特許請求の範囲】
【請求項１】
所定のカラオケ装置に対応付けられたリモコン装置が、店舗内に複数設置された各顧客用テーブルを検知し、当該リモコン装置にて予約登録を行った顧客用テーブルを報知するシステムであって、
テーブルＩＤ管理手段と、テーブルＩＤ検知手段と、楽曲予約登録手段と、同一予約楽曲判定手段と、予約テーブル報知手段とを有し、
（ア）テーブルＩＤ管理手段とは、前記顧客用テーブル毎に付帯させた識別データ保持体の各識別データに対応付けられたテーブルＩＤを管理し、所定のテーブルＩＤ管理リストに記憶するものであり、
（イ）テーブルＩＤ検知手段とは、前記リモコン装置内に組み込まれ、任意の顧客用テーブルに付帯された前記識別データ保持体の識別データを読み取り可能とされ、前記テーブルＩＤ管理リストに基づき、当該顧客用テーブルのテーブルＩＤを検知するものであり、
（ウ）楽曲予約登録手段とは、前記リモコン装置をもって任意の楽曲を前記カラオケ装置に予約登録する際、その楽曲ＩＤとともに前記検知したテーブルＩＤを含めて予約待ち行列に登録するものであり、
（エ）同一予約楽曲判定手段とは、前記予約待ち行列に登録されている楽曲のうち、同一である楽曲ＩＤの楽曲があるか否かを判定するものであり、
（オ）予約テーブル報知手段とは、前記判定にて同一ＩＤの楽曲があると判定された場合には、各々の楽曲が演奏される直前の楽曲の後奏中ないし曲間中あるいは当該楽曲の前奏中に、前記予約待ち行列に登録された当該各々の楽曲ＩＤに紐付けられている各々のテーブルＩＤを所定の表示部に表示して報知するものである、
ことを特徴とする楽曲予約テーブル報知システム。
【請求項２】
前記識別データ保持体がＲＦＩＤタグであることを特徴とする請求項１記載の楽曲予約テーブル報知システム。
【発明の詳細な説明】
【技術分野】
【０００１】
本発明は、カラオケ装置に対応付けられたリモコン装置にて、予約登録を行った利用者の顧客用テーブルを報知するシステムに関する。
【背景技術】
【０００２】
カラオケ利用者はカラオケボックス或いは、スナックやバーのようなナイト店舗を利用する。先ず、カラオケボックスとは、一つのカラオケ装置に対し、通常、一対のテーブルとソファーを用意した個室を複数設置した店舗のことである。このカラオケボックスを使用し歌唱する利用者は、気の知れた仲間や友人と共に来店し、自身達の好みの楽曲である十八番楽曲や仲間同士で同じ楽曲をデュエットすることにより、同一空間にて歌唱を楽しむものである。
【０００３】
このようなカラオケボックスに対して、ナイト店舗とは、一つのカラオケ装置に対し、通常、複数のテーブルやソファーが設置されている店舗である。利用者は、予め案内された顧客用テーブルが指定されており、同一空間にて全く面識のない他の利用者と代わる代わる一つのカラオケ装置を共有して、楽曲の歌唱を楽しむものである。このように、ナイト店舗では、カラオケボックスとは異なり、全く面識のない他の利用者同士がカラオケ装置を共有するため、ある利用者の予約登録した楽曲と同じ楽曲を他の利用者が予約登録することもあり、利用者は同一楽曲が予約登録された場合には、自身が予約した楽曲なのか、または他の利用者が予約した楽曲なのか判別することができないことがある。
【０００４】
このような問題に対して、特許文献１では、リモコン装置にて入力した楽曲番号とテーブル番号をディスプレイに表示させることにより、何処のテーブルで予約登録された楽曲なのかを把握できる技術が開示されている。また、特許文献２では、光カードに記憶されている自身の紹介情報や個人情報を、楽曲が演奏される前に表示することにより、自身がリクエストした楽曲なのか否かを判別する技術が開示されている。さらに、特許文献３では、予約登録を行おうとした楽曲と同一の楽曲が、所定の曲数内および所定の時間内に登録されていた場合には、リモコン装置に警告表示を行うことにより、重複予約を防止する技術が開示されている。
【特許文献１】実開平５−６６７７５号公報
【特許文献２】特開平６−３０８９８４号公報
【特許文献３】特開２００５−２７５３０７号公報
【発明の開示】
【発明が解決しようとする課題】
【０００５】
しかしながら、特許文献１のように、リモコン装置にて利用者が入力したテーブル番号を表示させるのでは人為的な行為が必要となるため、成人の利用者が利用するナイト店舗では、酔った利用者が比較的多いために、テーブル番号を間違って入力してしまい、何処のテーブルで予約登録された楽曲なのかを把握できなくなることもある。また、特許文献２では、光カードに記録されている紹介情報を表示するものであるため、必ず自身の紹介情報が記憶されている光カードを店舗に来店の都度、持参する必要があり、このカードを忘れたり、紛失してしまった場合には、自身がリクエストした楽曲なのか否かを判別することができない。さらに、特許文献３を用いて、同一楽曲が予約登録された場合に警告表示を行ったとしても、利用者により重複予約が成されることは減少する可能性はあるが、この文献では、重複を承知の上、利用者が強引に楽曲を予約登録したり、ケアレスミスで誤って予約登録した場合には、結局、重複登録となり、自身が予約した楽曲なのか、または利用者が予約した楽曲なのか判別することはできない。
【０００６】
そこで、本発明は、テーブル番号の入力操作などといった人為的な行為を必要とせず、また、紹介情報が記憶された光カードなどといった所持体（カード類）を別途持参する必要がなく、複数の顧客用テーブルが設置されたナイト店舗にて、同一の予約登録楽曲がある場合に、それぞれの楽曲が何れのテーブルから選曲されたかを自動的かつ効果的に報知できるシステムの提供を課題とする。
【課題を解決するための手段】
【０００７】
上記課題を鑑み、本発明の請求項１記載の楽曲予約テーブル報知システムとは、所定のカラオケ装置に対応付けられたリモコン装置が、店舗内に複数設置された各顧客用テーブルを検知することにより、リモコン装置にて予約登録を行った顧客用テーブルを報知するシステムであって、顧客用テーブル毎に付帯させた識別データ保持体の各識別データに対応付けられたテーブルＩＤを管理し、所定のテーブルＩＤ管理リストに記憶し、リモコン装置内に組み込まれ、任意の顧客用テーブルに付帯された識別データ保持体の識別データを読み取り可能とし、テーブルＩＤ管理リストに基づき、顧客用テーブルのテーブルＩＤを検知する。そして、リモコン装置をもって任意の楽曲をカラオケ装置に予約登録する際、その楽曲ＩＤとともに検知したテーブルＩＤを含めて予約待ち行列に登録し、登録されている楽曲のうち、同一である楽曲ＩＤの楽曲があるか否かを判定し、同一ＩＤの楽曲があると判定された場合には、各々の楽曲が演奏される直前の楽曲の後奏中ないし曲間中あるいは当該楽曲の前奏中に、登録された各々の楽曲ＩＤに紐付けられている各々のテーブルＩＤを所定の表示部に表示して報知することを特徴とし、上記課題を解決した。
【０００８】
さらに、本発明の請求項２記載の楽曲予約テーブル報知システムとは、識別データ保持体がＲＦＩＤ（Radio
Frequency Identification）タグ、すなわち、近距離無線識別通信用タグにより識別データを読み取るようにした。
【０００９】
すなわち、本発明の請求項１記載の楽曲予約テーブル報知システムとは、所定のカラオケ装置に対応付けられたリモコン装置が、店舗内に複数設置された各顧客用テーブルを検知し、当該リモコン装置にて予約登録を行った顧客用テーブルを報知するシステムであって、
テーブルＩＤ管理手段と、テーブルＩＤ検知手段と、楽曲予約登録手段と、同一予約楽曲判定手段と、予約テーブル報知手段とを有し、
（ア）テーブルＩＤ管理手段とは、前記顧客用テーブル毎に付帯させた識別データ保持体の各識別データに対応付けられたテーブルＩＤを管理し、所定のテーブルＩＤ管理リストに記憶するものであり、
（イ）テーブルＩＤ検知手段とは、前記リモコン装置内に組み込まれ、任意の顧客用テーブルに付帯された前記識別データ保持体の識別データを読み取り可能とされ、前記テーブルＩＤ管理リストに基づき、当該顧客用テーブルのテーブルＩＤを検知するものであり、
（ウ）楽曲予約登録手段とは、前記リモコン装置をもって任意の楽曲を前記カラオケ装置に予約登録する際、その楽曲ＩＤとともに前記検知したテーブルＩＤを含めて予約待ち行列に登録するものであり、
（エ）同一予約楽曲判定手段とは、前記予約待ち行列に登録されている楽曲のうち、同一である楽曲ＩＤの楽曲があるか否かを判定するものであり、
（オ）予約テーブル報知手段とは、前記判定にて同一ＩＤの楽曲があると判定された場合には、各々の楽曲が演奏される直前の楽曲の後奏中ないし曲間中あるいは当該楽曲の前奏中に、前記予約待ち行列に登録された当該各々の楽曲ＩＤに紐付けられている各々のテーブルＩＤを所定の表示部に表示して報知することを特徴とする。
【００１０】
さらに、本発明の請求項２記載の楽曲予約テーブル報知システムとは、請求項１記載のシステムにおいて、識別データ保持体がＲＦＩＤタグであることを特徴とする。
【発明の効果】
【００１１】
本発明の請求項１記載の楽曲予約テーブル報知システムによれば、予約登録楽曲の楽曲ＩＤと顧客用テーブルのテーブルＩＤを紐付けることにより、同一楽曲が予約登録された場合には、所定のリモコン装置をもって何処のテーブルにて予約登録されたのか明確に把握できるようになる。すなわち、利用者は通常に楽曲を予約登録するのみで、従来のように、テーブル番号の入力操作などといった面倒な行為を必要とせず、また、紹介情報が記憶された光カードなどといった所持体（カード類）を別途持参する必要がない。そして、複数の顧客用テーブルが設置されたナイト店舗にて、異なったテーブルより同一の予約登録楽曲がある場合に、それぞれの楽曲が何れのテーブルから選曲されたかを自動的かつ効果的に報知できる。したがって、例えば、複数のテーブルから同一楽曲の重複予約登録がなされた場合でも、それぞれのテーブルの利用者が自身が予約登録した楽曲だと思い込み、誤ってステージに同時に上がってしまうなどといった混乱を防げるといった効果を奏する。
【００１２】
また、本発明の請求項２記載の楽曲予約テーブル報知システムによれば、上記効果に加え、さらに、識別データ保持体がＲＦＩＤタグであること、すなわち、近距離無線識別通信用タグによって識別データの読み取りができることで、リモコン装置を任意の顧客用テーブルに対し、所定の距離以内に近づけるだけで、勿論、リモコン装置をテーブル上に置くだけでより簡単にテーブルＩＤを検知することができるといった効果を奏する。
【発明を実施するための最良の形態】
【００１３】
以下に、本発明の楽曲予約テーブル報知システムについて適切な実施例を挙げ、先ずは、図１に示す「本発明のシステムを組み込んだカラオケ装置のブロック構成図」について説明する。
【００１４】
図１は、本発明のシステムを組み込んだカラオケ装置（１）における主要構成部のブロック構成図である。このカラオケ装置（１）は、各種機能手段から構成されており、リモコン装置（Ｒ）と通信を行うことにより、楽曲の予約登録や各種コンテンツサービスを行うものである。まず、スナックやバーなどのナイト店舗の従業員がリモコン装置（Ｒ）や操作パネル（図示省略）を用いて、複数の顧客用テーブル（Ｔｉ／ｉ＝１,２,３…）の番号や名称等を予め設定すると、カラオケ装置（１）の中央制御手段（２）は、テーブルＩＤ管理手段（５）を用いて、顧客用テーブル毎に付帯させた識別データ保持体の各識別データに対応付けられたテーブルＩＤを、ハードディスク（３）（以下ＨＤＤ）のテーブルＩＤ管理リスト（Ｌ）に記憶させる。そして、使用される各リモコン装置（Ｒ）の内部フラッシュメモリ（図示省略）には、ＨＤＤ（３）に記憶されているテーブルＩＤ管理リスト（Ｌ）が複製され、リモコン装置（Ｒ）内に組み込まれたテーブルＩＤ検知手段（６）が任意の顧客用テーブル（Ｔｉ）に付帯された識別データ保持体（Ｔｍ）の識別データを無線通信や光学的手法などにて読み取ると、これとリモコン装置（Ｒ）のフラッシュメモリ内に複製されたテーブルＩＤ管理リスト（Ｌ）とを照合してテーブルＩＤを検知する。
【００１５】
そして、リモコン装置（Ｒ）により利用者が検索した楽曲の予約登録の指示がなされた場合には、リモコン装置（Ｒ）から、当該予約登録楽曲の楽曲ＩＤとともに検知したテーブルＩＤも送信され、カラオケ装置（Ｒ）の中央制御手段（２）は、送信された楽曲ＩＤとテーブルＩＤをリモコン信号受信手段（７）にて受信し、楽曲予約登録手段（９）を用いて、ＲＡＭ（４）の予約待ち行列管理テーブル（Ｑ）に選曲の順序に従い順番に登録する。この予約待ち行列（Ｑ）に登録されている楽曲のうち、同一である楽曲ＩＤがあると、同一予約楽曲判定手段（８）が判定した場合には、中央制御手段（２）は、予約テーブル報知手段（１０）を用いて、同一楽曲の楽曲ＩＤに紐づけられているテーブルＩＤを当該楽曲が演奏される直前の曲間中ないし前奏中のタイミングに、背景映像と歌詞テロップを表示するための表示部（Ｍ）にて表示して報知する。
【００１６】
次に、図２に示す「リモコン装置による顧客用テーブル検知の概念図」について説明する。
【００１７】
図２は、リモコン装置（Ｒ１，Ｒ２）につき、それぞれが現に使用されている顧客用テーブルのテーブルＩＤを検知している状態、すなわち、リモコン装置と顧客用テーブルとの対応関係を示したものである。各顧客用テーブル（Ｔ１，Ｔ２）のそれぞれに付帯された識別データ保持体（Ｔｍ１，Ｔｍ２）は、ＲＦＩＤタグ、すなわち、無線通信用アンテナやＩＣチップ（メモリを含む）を備えたタグであり、本実施例ではテーブル上面に貼付されいる。なお、図中では、大きな円として表記しているが、実際は、同じ周波数帯で管理されている多数のタグが連設され、所定の通信領域を確保している。そして、各ＲＦＩＤタグ（Ｔｍ１，Ｔｍ２）のメモリには、テーブルＩＤに対応付けられている識別データが記憶されている。例えば、図中、顧客用テーブル（Ｔ１）にて使用されているリモコン装置（Ｒ１）、換言すれば、顧客用テーブル（Ｔ１）に備えられたＲＦＩＤタグ（Ｔｍ１）の通信領域（電波強度や通信方向に基づく）内にあるリモコン装置（Ｒ１）が、その識別データを読み取った場合には、そのリモコン装置（Ｒ１）はテーブル管理リストに基づき顧客用テーブル（Ｔ１）のテーブルＩＤを検知することになる。一方、リモコン装置（Ｒ２）も、同様な手順により、顧客用テーブル（Ｔ２）のテーブルＩＤを検知することになる。このように、本実施例では、リモコン装置（Ｒ１）と顧客用テーブル（Ｔ１）および、リモコン装置（Ｒ２）と顧客用テーブル（Ｔ２）がペアリングされる。さらに、リモコン装置（Ｒ１）が顧客用テーブル（Ｔ２）の識別データを読み込み、あるいは、リモコン装置（Ｒ２）が顧客用テーブル（Ｔ１）の識別データを読み込むといった、隣り合ったテーブルＩＤを間違って検知することはないように、各ＲＦＩＤタグ（Ｔｍ１，Ｔｍ２）の通信領域や周波数帯などが設定され、また、テーブル間の距離も混信しないように確保されている。なお、本実施例では、識別データの読み取りを無線通信によるＲＦＩＤを用いて説明しているが、これに限らず、バーコードや二次元コードなどの光学的な読み取り手法を用いても構わない。すなわち、識別データ保持体（Ｔｍ１，Ｔｍ２）をバーコードタグや二次元コードタグとしたり、直接、テーブル面にこれらを印刷されても構わない。また、この場合には、携帯電話にもあるように、リモコン装置にもＣＣＤカメラやコード解析手段を備えることを条件とする。
【００１８】
次に図３に示す「テーブルＩＤ管理リストおよび予約待ち行列管理テーブルの概略図」について説明する。
【００１９】
図３の（ａ）テーブルＩＤ管理リストの概略図であり、予めナイト店舗の従業員が、店舗内の顧客用テーブルに対応付け設定したテーブルＩＤを示すものである。このテーブルＩＤ管理リスト（Ｌ）の構成要件として、店舗内の顧客テーブルの位置を示す「テーブル位置」フィールド（ｆ１）と、各々の顧客用テーブルの識別データ保持体であるＲＦＩＤに記憶された識別データを示す「識別データ」フィールド（ｆ２）と、そのＲＦＩＤに対応付けられるテーブルＩＤを示す「テーブルＩＤ」フィールド（ｆ３）から構成されており、本実施例ではテーブルＩＤをテーブル番号ともしているが、本発明はこれに限らず、アルファベットなどを用いて、従業員が識別しやすいものを設定しても構わない。
【００２０】
そして、図３の（ｂ）予約待ち行列管理テーブルの概略図とは、利用者がリモコン装置を用いて、楽曲の予約登録の指示を行い、カラオケ装置の楽曲予約登録手段を用いて予約待ち行列に登録された楽曲を示すものであり、当該楽曲を予約待ち行列に登録する際には、その楽曲の楽曲ＩＤとともに、リモコン装置にて検知された顧客用テーブルのテーブルＩＤも登録される。また、登録された後に、同一予約楽曲判定手段を用いて、予約待ち行列内に同一楽曲ＩＤがある場合には同一判定フラグを立てるように構成されているものである。この予約待ち行列管理テーブル（Ｑ）の構成要件として、予約待ち行列に登録された楽曲の演奏順番を示す「演奏順番」フィールド（ｆ１）と、予約登録された楽曲の曲名を示す「曲名」フィールド（ｆ２）と、予約登録された楽曲の楽曲ＩＤを示す「楽曲ＩＤ」フィールド（ｆ３）と、当該楽曲ＩＤに紐付けられているリモコン装置が検知したテーブルＩＤを示す「テーブルＩＤ」フィールド（ｆ４）と、当該予約待ち行列に登録された楽曲のうち、同一の楽曲ＩＤがあるか否かを判定し、同一楽曲ＩＤに対して、楽曲を識別できるデータ（同一楽曲の複数パターンに対応するデータ）を含むフラグを立て示す「同一判定」フィールド（ｆ５）から構成されている。
【００２１】
次に、図４に示す「同一予約楽曲の顧客用テーブルを報知した時の表示例」について説明する。
【００２２】
図４は、予約待ち行列に登録されている楽曲のうち、同一予約楽曲判定手段にて、同一であると判定されている楽曲ＩＤに紐付けられているテーブルＩＤを例示したものである。まず、（ａ）「演奏される直前に顧客用テーブルを報知」とは、例えば、任意の楽曲が演奏されるに直前すなわち曲間に、予約待ち行列に登録されている楽曲を、背景映像と歌詞テロップを表示するための表示部に一覧表示する予約楽曲リストを用いて、同一楽曲ＩＤに紐付けられている楽曲ＩＤを報知したものである。すなわち、本実施例では、予約楽曲リストに表示されている演奏順番の「１番目」の楽曲と、演奏順番「４番目」の楽曲「Ａのうた」の楽曲ＩＤ「*****ｅ」が同一であり、よって、テーブル番号表示部（Ｄａ）には、各々の楽曲を予約登録行った際に、紐付けられたテーブルＩＤ、すなわち、演奏順番「１番目」の楽曲はテーブル番号「１番」を、演奏順番「４番目」の楽曲はテーブル番号「２番」が表示され、利用者に予約登録された顧客用テーブルを報知する。
【００２３】
そして、（ｂ）「前奏中に顧客用テーブルを報知」とは、当該同一である楽曲が演奏された直後に、当該楽曲ＩＤに紐付けられているテーブルＩＤを表示し報知したものである。本実施例の前奏中とは、利用者が歌唱する前のタイミング、すなわち、予約楽曲のタイトルや作詞者・作曲者等が表示されているときに、所定のテーブル番号表示部（Ｄｂ）にて、テーブルＩＤであるテーブル番号を利用者に報知するものである。なお、このように、本実施例では、曲間及び楽曲の前奏中に、テーブル番号を報知するように説明しているが、本発明はこれに限らず、例えば、演奏中の任意の楽曲の次曲が、同一楽曲の何れかである場合には、その演奏楽曲の後奏中に、上記（ｂ）と同じ表示方法にて、次曲である同一楽曲に該当する何れかのテーブル番号を表示しても構わない。
【００２４】
次に、図５に示す「顧客用テーブルを報知する処理を示すフロー」を用いて、テーブルＩＤを検知してから、異なったテーブルより同一の予約登録楽曲がある場合に、そのテーブルＩＤを報知するまでの処理について説明する。
【００２５】
図５は、リモコン装置がテーブルＩＤを検知する処理から、リモコン装置により検知されたテーブルＩＤをカラオケ装置が報知するまでの流れを示したものである。まず、ナイト店舗の従業員によりカラオケ装置の電源がＯＮされ（Ｓ１）、そして、顧客用テーブルのそれぞれには、所定のリモコン装置が割り当てられて置かれており、それらのリモコン装置のテーブルＩＤ検知手段をもって各顧客用テーブルのテーブルＩＤを検知したかが判断される（Ｓ２）。そして、任意のテーブルの利用者により、その場に置かれているリモコン装置を用いて選曲楽曲の予約登録の指示がなされると、予約楽曲の楽曲ＩＤと検知したテーブルＩＤを紐付けられているカラオケ装置に送信し、楽曲予約登録手段は、この送信された楽曲ＩＤとテーブルＩＤを予約待ち行列に登録する（Ｓ３）。選曲楽曲が登録されると、同一予約楽曲判定手段は、当該予約待ち行列に登録された楽曲のうち、同一の楽曲ＩＤがあるか否かを判断し（Ｓ４）、同一の楽曲ＩＤがあると判断した場合には（ＹＥＳ）、当該同一の楽曲ＩＤに紐付けられているテーブルＩＤを所定の表示部に報知する（Ｓ５）。一方、同一の楽曲ＩＤがないと判断した場合には（ＮＯ）、何らの積極的な処理も行わない。そして、カラオケ装置の電源がＯＦＦされたか否かにより（Ｓ６）、電源がＯＮの状態では（ＮＯ）、利用者により選曲楽曲の予約登録の指示がなされる度に上記処理を繰り返して行い、電源がＯＦＦされた場合には（ＹＥＳ）、本システムは終了される。
【００２６】
以上のように、本発明の楽曲予約テーブル報知システムによれば、複数の顧客用テーブルが設置されているナイト店舗にて、各々の顧客用テーブルの利用者により同一の楽曲が予約登録された場合でも、同一楽曲が何処のテーブルから選曲されたのか自動的かつ効果的に報知することができる。よって、複数のテーブルから同一の楽曲が予約される重複予約がなされた場合でも、テーブル番号等を表示することにより、利用者は歌唱前に自身が予約登録した楽曲なのか否かを判別することができ、例えば複数の利用者が予約登録した楽曲だと思い込み、同時にステージに上がるなどを防止することができる。
【図面の簡単な説明】
【００２７】
【図１】本発明のシステムを組み込んだカラオケ装置のブロック構成図
【図２】リモコン装置による顧客用テーブル検知の概念図
【図３】テーブルＩＤ管理リストおよび予約待ち行列管理テーブルの概略図
【図４】同一予約楽曲の顧客用テーブルを報知した時の表示例
【図５】顧客用テーブルを報知する処理を示すフロー
【符号の説明】
【００２８】
１           カラオケ装置
２           中央制御装置
３           ＨＤＤ
４           ＲＡＭ
５           テーブルＩＤ管理手段
６           テーブルＩＤ検知手段
７           リモコン受信手段
８           同一予約楽曲判定手段
９           楽曲予約登録手段
１０         予約テーブル報知手段
Ｔｉ         顧客用テーブル
Ｔｍ         識別データ保持体
Ｌ           テーブルＩＤ管理リスト
Ｑ           予約待ち行列管理テーブル
【図３】
2010156858.tif 000003
【図４】
2010156858.tif 000004
【図５】
2010156858.tif 000005
【図１】
2010156858.tif 000006
【図２】
2010156858.tif 000007